(57)【要約】【課題】睡眠状態の評価の一つとして、患者が離床した原因を推定することが可能な睡眠評価装置等を提供すること。【解決手段】制御部と、記憶部と、を備えた睡眠評価装置であって、前記記憶部は、患者の生体情報値が記憶されており、前記制御部は、前記患者の就寝時における離床回数を取得し、前記離床回数及び前記生体情報値に基づいて、前記患者が離床した離床原因を推定する、ことを特徴とする。【選択図】図１
2019187970.tif 000002
【特許請求の範囲】
【請求項１】
利用者の生体情報を記憶可能な記憶部と、
前記利用者が第１区間における離床回数と前記生体情報とに基づいて、前記利用者の離床原因を推定する制御部と
を備えることを特徴とする評価装置。
【請求項２】
前記制御部は、
前記利用者の睡眠の質を示す睡眠指標を取得し、
前記離床回数、前記生体情報、前記睡眠指標に基づいて、前記離床原因を推定する、
ことを特徴とする請求項１に記載の評価装置。
【請求項３】
前記制御部は、
前記利用者の睡眠の異常を示す障害指標を取得し、
前記離床回数、前記生体情報、前記睡眠指標、前記障害指標に基づいて、前記離床原因を推定する、
ことを特徴とする請求項２に記載の評価装置。
【請求項４】
前記制御部は、
前記離床回数が閾値以上の場合に、前記利用者の周期性体動指数及び／又は呼吸障害指数に基づいて、前記離床原因を推定する、
ことを特徴とする請求項１に記載の評価装置。
【請求項５】
前記制御部は、
前記利用者の前記離床回数と、前記周期性体動指数とに基づいて、前記離床原因がむずむず足症候群であるかを推定する、
ことを特徴とする請求項４に記載の評価装置。
【請求項６】
前記制御部は、
前記利用者の前記離床回数と、前記周期性体動指数と、前記呼吸障害指数に基づいて、前記離床原因が閉塞性睡眠時無呼吸症候群であるかを推定する、
ことを特徴とする請求項４に記載の評価装置。
【請求項７】
前記制御部は、
前記睡眠指標と、前記離床原因とを併せて、評価レポートとして出力する、
ことを特徴とする請求項２又は３に記載の評価装置。
【請求項８】
前記制御部は、
前記離床原因に関連づけられた前記睡眠指標を識別表示された評価レポートを出力する、
ことを特徴とする請求項７に記載の評価装置。
【請求項９】
利用者の生体情報を記憶可能な記憶部を有するコンピュータに、
前記利用者が第１区間における離床回数と前記生体情報とに基づいて、前記利用者の離床原因を推定する機能を実現させることを特徴とするプログラム。
【発明の詳細な説明】
【技術分野】
【０００１】
本発明は、評価装置等に関する。
【背景技術】
【０００２】
従来から、就寝者（被測定者）の健康管理等のために、被測定者の睡眠状態を判定する方法が種々知られている。代表的な方法としては、睡眠ポリソムノグラフ（PSG; Polysomnography）や、アクチグラフ（Actigraph）等が知られている。
【０００３】
一例として、リアルタイムに被測定者の睡眠状態を判定する方法としては、例えば特許文献１が開示されている。すなわち、被測定者の体の動き（体動）を検知し、体動レベルが所定の検出時間の間に判定閾値を超えた場合には睡眠状態を「覚醒」と判定し、それ以下の場合には「睡眠」と判定としている。
【０００４】
このような技術を用いることにより、就寝者の睡眠を評価する装置が知られている。例えば、睡眠状態と、本人が入力した生活リズムの情報から、睡眠に関する健康管理をアドバイスする技術が知られている（例えば、特許文献２参照）。
【先行技術文献】
【特許文献】
【０００５】
【特許文献１】特開２００８−１４２２３８号公報
【特許文献２】特開２０１３−４５３３６号公報
【発明の概要】
【発明が解決しようとする課題】
【０００６】
本発明は、睡眠状態の評価の一つとして、例えば、患者が離床した原因を推定することが可能な評価装置等を提供することである。
【課題を解決するための手段】
【０００７】
本発明の評価装置は、
利用者の生体情報を記憶可能な記憶部と、
前記利用者が第１区間における離床回数と前記生体情報とに基づいて、前記利用者の離床原因を推定する制御部と
を備えることを特徴とする。
【０００８】
また、本発明のプログラムは、
利用者の生体情報を記憶可能な記憶部を有するコンピュータに、
前記利用者が第１区間における離床回数と前記生体情報とに基づいて、前記利用者の離床原因を推定する機能を実現させることを特徴とする。
【発明の効果】
【０００９】
本発明によれば、睡眠状態の評価の一つとして、例えば、患者が離床した原因を推定することが可能な評価装置等を提供することができる。
【図面の簡単な説明】
【００１０】
【図１】本実施形態におけるシステム全体を示す図である。
【図２】本実施形態における睡眠評価装置の構成の一例を示す図である。
【図３】本実施形態におけるパラメータテーブルの構成の一例を示す図である。
【図４】本実施形態における睡眠評価テーブルの構成の一例を示す図である。
【図５】本実施形態における睡眠日誌の一例を説明するための図である。
【図６】本実施形態における離床評価テーブルの構成の一例を示す図である。
【図７】本実施形態におけるメイン処理の動作について説明するための動作フローである。
【図８】本実施形態における離床原因推定処理の動作について説明するための動作フローである。
【図９】本実施形態における変数を説明するための図である。
【図１０】本実施形態における離床原因推定処理の動作について説明するための動作フローである。
【図１１】本実施形態における離床原因推定処理の動作について説明するための動作フローである。
【図１２】本実施形態における評価レポートの一例を示した図である。
【図１３】本実施形態における評価レポートの一例を示した図である。
【図１４】本実施形態における評価レポートの一例を示した図である。
【発明を実施するための形態】
【００１１】
以下、図面を参照して本発明を実施するための一つの形態について説明する。
患者の心拍数、呼吸数といった生体情報値に基づいて、評価装置が患者の睡眠状態を判定し、判定された睡眠状態に応じて、睡眠の評価を行うことが行われている。
【００１２】
このとき、評価される項目としては「睡眠の量・睡眠の質・習慣・睡眠の異常・利用者（例えば患者）のバイタル」といった５つに大きく分類される。これらの項目を複数組み合わせて、評価装置によって睡眠を評価するということは行われていなかった。
【００１３】
特に、睡眠に障害がある場合に、睡眠や生活の習慣、睡眠の異常、バイタル、睡眠の質を組み合わせることにより、障害の原因を特定したり、アドバイスを出力したりするものは行われていなかった。
【００１４】
睡眠の障害の一つである「離床」は、例えば患者の睡眠を阻害するだけでなく、例えば転倒リスクが高まることになり、非常に重要な障害である。したがって、離床に注目し、離床の原因に繋がる内容を睡眠データに基づいて評価したり、評価に基づいたアドバイスを行ったりすることは重要である。
【００１５】
そこで、本実施形態の睡眠評価装置によれば、取得された生体情報値や、算出された睡眠指標に基づいて、適切な患者の異常に対するアドバイス等を出力することが可能となる。好ましくは、患者の異常として、離床原因を推定することで、医療現場や介護現場における有益な情報を提供することができることとなる。
【００１６】
なお、本明細書で患者とは、ベッド装置（マットレス）を利用する者をいい、病気で治療を受けるものに限られず、施設で介護を受ける者や、ベッド装置で就寝する者であれば対象者として適用可能である。
【００１７】
［１．システム全体］
図１は、本発明の評価装置を患者の睡眠を評価可能な睡眠評価装置や、睡眠状態から患者が離床した原因を推定したり、評価したりすることが可能な離床原因評価装置に適用したシステム１の全体概要について説明するための図である。図１に示すように、システム１は、ベッド装置１０の床部と、マットレス２０の間に載置される検出装置３と、検出装置３より出力される値（生体情報値）から、患者の睡眠を評価するため睡眠評価装置５を備えて構成されている。
【００１８】
なお、本実施形態における睡眠評価装置とは、患者の睡眠に基づいて評価を行う装置という意味である。したがって、睡眠評価装置は、睡眠自体の評価を行う装置や、単に患者の離床原因を推定するといった睡眠自体の評価は行わない（例えば、離床の原因の推定・評価を行う）装置も含む概念である。
【００１９】
マットレス２０に、対象者（以下、一例として「患者Ｐ」とする）が在床すると、対象者である患者Ｐの生体信号として体振動（人体から発せられる振動）を検出装置３が検出する。また、検出された振動に基づいて、患者Ｐの生体情報値が算出可能である。
【００２０】
算出された生体情報値（例えば、呼吸数、心拍数、活動量）を、患者Ｐの生体情報値として出力・表示してもよい。
【００２１】
検出装置３により算出された生体情報値は、睡眠評価装置５に送信される。ここで、生体情報値は、無線ＬＡＮや、Ｂｌｕｅｔｏｏｔｈ（登録商標）といった無線通信により送信されてもよいし、ＳＤカード（登録商標）といった記憶媒体を介して送信されてもよい。また、検出装置３から、サーバ装置を経由して睡眠評価装置５に送信されてもよい。
【００２２】
また、検出装置３から、睡眠評価装置５に送信される情報は、検出装置３で取得された信号（例えば、生体信号や、振動データ等）であってもよいし、取得された信号に基づいて、検出装置３で算出された生体情報値や、患者の睡眠指標、離床在床状態、患者の位置といった種々の情報が送信可能である。
【００２３】
これらの情報は、検出装置３で算出されてもよいし、睡眠評価装置５で算出されてもよい。また、心拍数・呼吸数・活動量といった一部の生体情報値だけが検出装置３で算出され、その他の睡眠指標や患者の状態を示す情報は、睡眠評価装置５で算出されてもよい。また、各種値等は、サーバ側で算出されてもよい。
【００２４】
また、検出装置３に記憶部、表示部等を設けることにより睡眠評価装置５と一体に形成されてもよい。また、睡眠評価装置５は、汎用的な装置で良いため、コンピュータ等の情報処理装置に限られず、例えばタブレットやスマートフォン等といった装置で構成されてもよい。また、検出装置３が通信機能を有している場合には、睡眠評価装置５の代わりにサーバ装置に接続してもよい。
【００２５】
また、対象者としては、病気療養中の者であったり、介護が必要なものであったりしてもよい。また、介護が必要でない健康な者であっても、高齢者でも子供でも、障害者でも、人でなくても動物でも良い。
【００２６】
ここで、検出装置３は、厚さが薄くなるようにシート状に構成されている。これにより、ベッド装置１０と、マットレス２０の間に載置されたとしても、患者Ｐに違和感を覚えさせることなく使用できるため、寝床での患者の状態を長期間検出できることとなる。
【００２７】
なお、検出装置３は、患者Ｐの振動を検出できればよい。例えば、歪みゲージ付きアクチュエータやベッドの脚等に配置された荷重を計測するロードセルを利用したりしても良い。また、内蔵された加速度センサ等を利用することにより、例えばベッド装置１０上に載置されたスマートフォンや、タブレット等で実現してもよい。
【００２８】
また、図１において、Ｈ側は、ベッド装置１０（マットレス２０）における長手方向の頭側であり、Ｆ側は足側である。また、図１において、Ｌ側は、患者Ｐが仰臥位のときの左側であり、Ｒ側は右側である。
【００２９】
［２．睡眠評価装置の構成］
つづいて、睡眠評価装置５の構成について、図２を用いて説明する。本実施形態における睡眠評価装置５は、制御部１００と、記憶部１３０と、通信部１５０と、入力部１６０と、出力部１７０とを含む構成となっている。
【００３０】
［２．１  制御部及び記憶部］
制御部１００は、システム１の動作を制御している。例えば、１又は複数のＣＰＵ（Central Processing Unit）等の制御装置である。制御部１００は、記憶部１３０に記憶されている各種プログラムを読み出して実行することにより各種処理を実現することとなる。
【００３１】
また、記憶部１３０は、睡眠評価装置５の動作に必要な各種プログラムや、各種データが記憶されている機能部である。記憶部１３０は、例えば、半導体メモリであるＳＳＤ（Solid State Drive）や、ＨＤＤ（Hard Disk Drive）等により構成されている。
【００３２】
すなわち、本実施形態では、記憶部１３０に記憶されたソフトウェアを実行することにより、制御部１００は、生体情報取得部１０２、睡眠状態判定部１０４、指標出力部１０６、指標評価部１０８、日誌作成部１１０、離床原因推定部１１２、評価レポート出力部１１４として機能する。
【００３３】
［２．１．１  生体情報取得部］
生体情報取得部１０２は、患者の生体情報値を取得する。例えば、通信部１５０を介して検出装置３から生体情報値を受信し、取得する。また、同様に通信部１５０を介して検出装置３から生体信号を受信している場合は、受信した生体信号から生体情報値を算出することにより、生体情報値を取得する。
【００３４】
生体信号から生体情報値を算出する場合は、受信した生体信号（体動）から呼吸成分・心拍成分を抽出し、呼吸間隔、心拍間隔に基づいて呼吸数、心拍数を算出する。また、体動の周期性を分析（フーリエ変換等）し、ピーク周波数から呼吸数、心拍数を算出してもよい。
【００３５】
取得された生体情報値は、生体情報値データ１３２に記憶される。ここで、生体情報値は、所定時間毎に生体情報値データ１３２に記憶される。例えば、図３（ａ）に示すように、生体情報値データ１３２には、時間毎（例えば、「２０１８／０２／０１  ０２：１０：００」）に生体情報値（本図では、心拍数（例えば、「５６」）、呼吸数（例えば、「１８」）、活動量（例えば、「６５」））が記憶される。
【００３６】
生体情報値データ１３２に生体情報値が１分毎に記憶されているが、例えば、５秒毎、３０秒毎、２分毎、１０分毎といった所定時間毎であればよい。また、記憶される範囲も、２４時間であったり、患者が在床中であってり、一晩であったりと、所定の範囲で記憶されればよい。また、２日間、３日間、１週間と所定の期間の生体情報値が記憶されてもよい。
【００３７】
［２．１．２  睡眠状態判定部］
睡眠状態判定部１０４は、患者の睡眠状態を判定している。睡眠状態としては、患者の「離床」「在床」をまず判定し、更に在床時には、「睡眠」「覚醒」とを判定する。また、判定された睡眠状態は、レム／ノンレム睡眠といった段階を更に判定してもよい。
【００３８】
これらの患者の睡眠状態を判定する方法としては、例えば特開２０１０−２６４１９３号公報（発明の名称：睡眠状態判定装置、プログラム及び睡眠状態判定システム、出願日：平成２１年５月１８日）、特願２０１４−２２９１１８号公報（発明の名称：睡眠状態判定装置、睡眠状態判定方法及びプログラム、出願日：平成２６年１１月１１日）に記載の睡眠状態判定方法を援用できる。この特許出願は援用によりその全体が組み込まれる。
【００３９】
そして、睡眠状態判定部１０４において判定された睡眠状態は、記憶部１３０の睡眠状態データ１３４に記憶される。睡眠状態データ１３４は、所定時間毎に、患者の睡眠状態が記憶される。
【００４０】
なお、離床／在床の判定は、検出装置３から受信された生体信号で判定してもよいし、別に設けられた離床／在床センサにより判定してもよい。また、検出装置３において睡眠状態を判定されている場合、睡眠状態判定部１０４は、検出装置３により判定された睡眠状態を受信してもよい。
【００４１】
すなわち、睡眠状態データ１３４に記憶された睡眠状態から、患者の睡眠時間や、睡眠潜時等といった睡眠指標を出力することが可能となる。
【００４２】
［２．１．３  指標出力部］
指標出力部１０６は、患者の睡眠状態や、患者の睡眠習慣に応じた指標（例えば、患者指標）を出力する。患者の睡眠習慣に応じた指標は、患者や患者以外の利用者（医療従事者、介護者等）により入力されたり、生体情報値から算出されたり、睡眠状態から決定されたりする。
【００４３】
指標出力部１０６により出力される指標は、パラメータテーブル１３６に記憶される。なお、指標出力部１０６は、患者の睡眠に関する睡眠指標と、睡眠の障害に関する指標（障害指標）と、生体情報値に基づく指標（バイタル指標）とを更に出力する。
【００４４】
図３（ｂ）に、パラメータテーブル１３６の一例を示している。ここで、パラメータとして記憶される睡眠指標、障害指標、バイタル指標は、以下の通りである。
【００４５】
（１）日付
それぞれの値を算出したり、特定したりするのに利用される時間である。例えば、図３（ｂ）では、「２０１８／０２／０１−２０１８／０２／０２」にかけて算出・特定された値が記憶されている。
【００４６】
（２）睡眠時間（例えば、「６時間１６分」）
就床時刻から起床時刻までの実際に眠っている時間の合計である。睡眠時間は、自動的に算出（例えば、睡眠状態データ１３４から取得された睡眠状態に基づいて算出）されてもよいし、手動で入力してもよい。
【００４７】
（３）就床時間（例えば、「８時間１３分」）
就床時刻から起床時刻までの時間の合計である。就床時間は、自動的に算出されてもよいし、手動で入力してもよい。
【００４８】
（４）就床時刻（例えば、「２２：５９」）
夜、寝床に入った時刻である。睡眠状態が一定時間在床となったときとしてもよいし、手動で入力してもよい。
【００４９】
（５）起床時刻（例えば、「７：１３」）
朝、寝床から離れた時刻である。睡眠状態が一定時間離床となったときとしてもよいし、手動で入力してもよい。
【００５０】
（６）睡眠潜時（例えば、「２３．４分」）
就床時刻から眠りにつくまでに係った時間を睡眠潜時とする。睡眠潜時は、例えば、睡眠状態データ１３４から取得された睡眠状態に基づいて算出することができる。
【００５１】
（７）睡眠効率（例えば、「７６．２％」）
就床から起床までの時間のうち、実際に眠っていた時間の割合を睡眠効率とする。この睡眠効率としては、「睡眠時間÷就床時間×１００」で算出される。睡眠効率は、例えば、睡眠状態データ１３４から取得された睡眠状態に基づいて算出することができる。
【００５２】
（８）中途覚醒時間（例えば、「９２．１分」）
寝ついてから起床までの間の睡眠の途中で目が覚めた時間の合計を中途覚醒時間とする。中途覚醒時間は、例えば、睡眠状態データ１３４から取得された睡眠状態に基づいて算出することができる。
【００５３】
（９）離床回数（例えば、「１回」）
患者が離床した回数である。例えば、患者の状態として「睡眠」が続いている間に、「離床」となった区間の回数を離床回数としてもよいし、患者の在床時の状態に関わらず単に離床が検知された回数としてもよい。なお、離床回数は、例えば、睡眠状態データ１３４から取得された睡眠状態に基づいて算出することができるし、離床センサ等により検出された回数であってもよい。また、離床回数と併せて離床時間を取得してもよい。
【００５４】
（１０）呼吸障害指数（例えば、「２４．４回／時間」）
睡眠時無呼吸症候群である可能性を推定できる指標である。就床中における１時間あたりの呼吸障害回数である。
【００５５】
（１１）周期性体動指数（例えば「１３．５回／時間」）
周期性四肢運動障害である可能性を推定できる指標である。就寝中における１時間あたりの周期性四肢運動の回数である。
【００５６】
（１２）活動量（例えば、「６１．４ｃｏｕｎｔ／時間」）
就床中に計測された１分間あたりの活動量（体動を検知したカウント数で体動の強度・頻度と相関する量）である。
【００５７】
（１３）（平均）呼吸数（例えば、「１５．８回／分」）
就寝中に計測された１分あたりの呼吸数である。
【００５８】
（１４）（平均）心拍数（例えば、「５６．２回／分」）
就寝中に計測された１分あたりの心拍数である。
【００５９】
なお、これらの患者の睡眠習慣と睡眠状態に応じた指標（１）〜（１４）は、（１）〜（９）を睡眠指標、（１０）及び（１１）を障害指標、（１２）〜（１４）をバイタル指標という。
【００６０】
［２．１．４  指標評価部］
指標評価部１０８は、患者の睡眠習慣と睡眠状態に応じた指標を評価する。評価する方法としては種々の方法があるが、例えば設定された閾値を超えたか否かを判定することにより評価したり、値に応じたランク付け（例えば、Ａ〜Ｄといった４段階や、レベル１〜５の５段階等）により評価したりする。また、複数の指標から、総合判定を行ってもよい。
【００６１】
また、評価される内容に応じるメッセージ等は、記憶部１３０の睡眠評価テーブル１３８に記憶されている。図４は、睡眠評価テーブル１３８の一例であり、指標を評価した内容が記憶されている。
【００６２】
例えば、指標であるパラメータ（睡眠指標、生体情報値、障害指標、バイタル指標等）を一意に識別するコード「Ｓ００５」に対応づけて、対応するパラメータ（例えば、「睡眠潜時」）毎に指標の説明がメッセージとして記憶されている。
【００６３】
睡眠潜時の場合、指標評価部１０８により、Ａ〜Ｄランクで評価されるため、それぞれの評価に応じたメッセージが記憶されている。
【００６４】
なお、指標評価部１０８は、ランクを判定する閾値を処理の中で判定してもよいし、睡眠評価テーブル１３８に閾値や判定値を記憶してもよい。すなわち、指標評価部１０８は、生体情報値や、各指標の値に応じて、評価ができればよい。
【００６５】
［２．１．５  日誌作成部］
日誌作成部１１０は、睡眠日誌を作成する。睡眠日誌とは、横方向に時間をとり、縦方向に日付順に示したグラフを作成する。
【００６６】
図５に睡眠日誌の一例を示す。図５（ａ）の睡眠日誌は、２／１〜２／３の睡眠日誌であり、患者の「睡眠」「覚醒」の状態が解るグラフである。また、グラフには「起床時刻」「就床時刻」を示す識別表示がされており、併せて「離床」が解る識別表示がされている。
【００６７】
なお、日誌作成部１１０が日誌として出力するグラフとしては、主に睡眠日誌について説明するが、これ以外にも体動（活動量）を示すグラフである体動（活動量）日誌、呼吸数を色で識別表示するグラフである呼吸数日誌、心拍数を色で識別表示するグラフである心拍数日誌、呼吸障害を識別表示するグラフである呼吸障害日誌、周期性体動を識別表示するグラフである周期性体動日誌等が出力可能である。
【００６８】
また、計測日数が１日の場合は、１日の値の遷移が解るプロットを表示したグラフを生成してもよい（例えば、図５（ｂ））。
【００６９】
［２．１．６  離床原因推定部］
離床原因推定部１１２は、生体情報値、患者の睡眠状態に応じた指標等から患者の離床した原因を推定する。離床原因としては、種々の原因が考えられるが、例えば以下のような離床の原因が考えられる。
【００７０】
・むずむず足症候群（Restless Legs Syndrome：RLS）
・閉塞性睡眠時無呼吸症候群（OSAS: Obstructive Sleep Apnea Syndrome）
・周期性四肢運動障害
・レム睡眠行動障害
・頻尿
・認知症
・感染症、痛み、かゆみ、予後悪化といった患者の症状に基づくもの
これらの離床原因を、離床原因推定部１１２は、推定するが、推定方法については後述する。
【００７１】
離床原因推定部１１２により推定された離床原因に対応する評価が、記憶部１３０の離床評価テーブル１４０に記憶されている。離床評価テーブル１４０の一例を図６に示す。
【００７２】
離床評価テーブル１４０は、離床の原因を特定するコード（例えば、「Ｍ００１」）と、離床の原因（例えば、「むずむず足症候群」）と、対応策やアドバイス（例えば、「むずむず足症候群の可能性があります。通常の・・・」）といった内容が記憶されている。
【００７３】
なお、コードについては、説明上付しているだけであり、少なくとも離床原因毎の対応策やアドバイスが記憶されていればよい。
【００７４】
［２．１．７  評価レポート出力部］
評価レポート出力部１１４は、評価レポートを出力する。評価レポートは、指標（睡眠指標、障害指標、バイタル指標）と、指標に基づく評価と、評価に基づくアドバイスとが出力される。また、併せて指標の意味や、睡眠日誌等が出力されてもよい。これらの評価レポートは、出力部１７０により例えば表示装置に出力されることにより表示されたり、印刷装置に出力されることにより記録紙に印刷されたりする。
【００７５】
また、通信部１５０を介して、例えばサーバ装置や、電子カルテシステム等に出力されてもよいし、スマートフォン等の携帯端末に出力されてもよい。また、ＨＴＭＬ／ＸＭＬとして出力することにより、他の装置のブラウザによって表示してもよい。
【００７６】
［２．２  通信部］
通信部１５０は、外部の装置や、サーバ等と通信を行う。本実施形態では、検出装置３と通信を行う。通信方式としては、ＷＬＡＮ（ＩＥＥＥ８０２．１１ａ／ｂ／ｇ／ｎ）であったり、近距離無線通信（例えば、Ｂｌｕｅｔｏｏｔｈ（登録商標））であったりしてもよい。また、ＷＬＡＮや、有線ＬＡＮ、ＬＴＥ／５Ｇ等により他のネットワークを経由してサーバ装置に接続してもよい。
【００７７】
更に、通信部１５０は、記憶媒体（例えば、ＵＳＢメモリ、ＳＤカード（登録商標））からパラメータや生体情報値を受信してもよい。この場合、通信部１５０は、記憶媒体が接続可能なインタフェース部として構成される。
【００７８】
［２．３  入力部及び出力部］
入力部１６０は利用者からの操作入力を受け付ける。また、出力部１７０は、各種情報や、評価レポートを出力する。入力部１６０は、例えばタッチパネルにより実現されるソフトウェアキーから操作入力が行われたり、キーボードやマウスといった入力装置が接続され、当該入力装置から操作入力が行われたりしてもよい。
【００７９】
また、出力部１７０は、液晶ディスプレイや、有機ＥＬディスプレイにより構成された表示装置が接続され、操作画面や、評価レポートが出力されてもよい。また、印刷装置が接続され、評価レポートが印刷されてもよい。
【００８０】
また、タブレットや、ノートパソコンといった場合には、入力装置や表示装置が睡眠評価装置５と一体に構成されていてもよい。
【００８１】
［２．４  検出装置］
通信部１５０を介して、検出装置３と接続されている。検出装置３は、患者の生体信号を取得する生体信号取得部である。
【００８２】
生体信号取得部は、図１における患者Ｐの生体信号を取得する。本実施形態では、一例として、圧力変化を検出するセンサを利用して生体信号の一種である体振動が取得される。そして取得された体振動は、呼吸数、心拍数、活動量などの生体情報値データに変換されて出力される。更に、検出装置３又は睡眠評価装置５により、体振動データに基づいて患者の臥床状態（例えば、患者Ｐが臥床しているか否か、在床、離床や端座位等）を取得したり、上述したように睡眠状態（睡眠、覚醒）を取得したりすることも可能である。
【００８３】
なお、本実施形態における生体信号取得部は、例えば、圧力センサにより患者の体振動を取得し、体振動から呼吸や心拍を取得するが、荷重センサにより、患者の重心位置（体動）の変化により生体信号を取得することとしても良いし、レーダーにより、体表面や寝具の変位に基づいて生体信号を取得することとしても良いし、マイクロフォンを設けることにより、マイクロフォンが拾う音に基づいて生体信号を取得しても良い。何れかのセンサを用いて、患者の生体信号を取得出来れば良い。
【００８４】
すなわち、生体信号取得部は、検出装置３のような装置に設けられても良いし、外部のセンサ装置から生体信号を受信する構成としても良い。
【００８５】
［３．処理の流れ］
［３．１  メイン処理］
つづいて、睡眠評価装置５における睡眠評価レポートを出力する処理について、図７の処理フローに基づいて説明する。図７の処理フローは、記憶部１３０に記憶されているプログラムを読み出して、制御部１００が実行することにより実現される処理である。
【００８６】
まず、生体情報取得部１０２により、生体情報値が取得される（ステップＳ１００）。生体情報値は、検出装置３から受信してもよいし、検出装置３等から受信された生体信号に基づいて制御部１００が生体情報値を算出してもよい。生体情報値取得処理は、生体情報取得部１０２により、本実施形態においてリアルタイムに実行されているが、利用者（患者、医療従事者、介護者等）の指示により取得されてもよい。
【００８７】
ここで、制御部１００は、評価レポートを出力すると判定した場合には（ステップＳ２００；Ｙｅｓ）、評価レポートを出力するための処理に遷移する。なお、制御部１００が評価レポートを出力すると判定するのは、利用者により指示されたことにより出力すると判定したり、所定のタイミング（例えば、朝、昼、起床時、数日間の睡眠に関するデータの履歴が記憶された場合等）で出力すると判定したりする。
【００８８】
評価レポートを出力するために、まず、制御部１００はパラメータ算出処理を実行する（ステップＳ３００）。パラメータ算出処理は、例えば、睡眠状態判定部１０４により睡眠状態が出力されたり、指標出力部１０６により患者の睡眠習慣と睡眠状態に応じた指標が算出されて出力されたりする。
【００８９】
つづいて、制御部１００は、睡眠日誌作成処理を実行する（ステップＳ４００）。すなわち、日誌作成部１１０により、睡眠日誌が作成される。
【００９０】
制御部１００は、パラメータ評価処理を実行する（ステップＳ５００）。すなわち、指標評価部１０８は、生体情報値、各指標等のパラメータの評価を行い、出力する。パラメータ評価処理の詳細については後述する。
【００９１】
制御部１００は、離床原因推定処理を実行する（ステップＳ６００）。すなわち、離床原因推定部１１２は、離床原因を推定し、出力する。離床原因特定処理の詳細については後述する。
【００９２】
制御部１００は、評価レポート出力処理を実行する（ステップＳ７００）。すなわち、評価レポート出力部１１４は、生体情報値と、患者の睡眠習慣と睡眠状態に応じた指標と、睡眠日誌作成処理で作成された睡眠日誌と、パラメータ評価処理で評価された評価結果と、離床原因推定処理で推定された離床原因とを、評価レポートとして出力する。
【００９３】
なお、図７のフローでは、評価レポートの出力を行う場合に各処理が実行されているが、適宜実行されてもよい。すなわち、ステップＳ３００、ステップＳ４００等は、ステップＳ１００と、ステップＳ２００との間で随時実行されてもよい。
【００９４】
［３．２  パラメータ評価処理］
ステップＳ５００において実行されるパラメータ評価処理について説明する。指標評価部１０８は、パラメータ評価処理を実行することにより、患者の睡眠習慣と睡眠状態に応じた指標に対して評価をして出力する。以下、代表的なパラメータと、評価方法の一例について説明する。
【００９５】
（１）睡眠時間
睡眠時間としては、Ａ〜Ｄの評価がされる。例えば、
Ａ：６．５時間以上８時間未満
Ｂ：６時間以上６．５時間未満、８時間以上９時間未満
Ｃ：５時間以上６時間未満、９時間以上１０時間未満
Ｄ：５時間未満、１０時間以上
といった時間で、睡眠時間のパラメータが評価される。
【００９６】
（２）就床時間
就床時間としては、Ａ〜Ｄの評価がされる。この評価基準の時間としては、例えば睡眠時間と同じ値を利用してもよい。
【００９７】
（３）睡眠潜時
睡眠潜時としては、Ａ〜Ｄの評価がされる。例えば、
Ａ：１０分未満                Ｂ：１０分以上２０分未満
Ｃ：２０分以上３０分未満      Ｄ：３０分以上
といった時間で、睡眠潜時のパラメータが評価される。
【００９８】
（４）睡眠効率
睡眠効率としては、Ａ〜Ｄの評価がされる。例えば、
Ａ：９５％以上              Ｂ：８５％以上９５％未満
Ｃ：７５％以上８５％未満    Ｄ：７５％未満
といった割合で、睡眠効率のパラメータが評価される。
【００９９】
（５）中途覚醒時間
中途覚醒時間としては、Ａ〜Ｄの評価がされる。例えば、
Ａ：１０分未満              Ｂ：１０分以上２０分未満
Ｃ：２０分以上４０分未満    Ｄ：４０分以上
といった時間で、中途覚醒が評価される。
【０１００】
（６）呼吸障害指数、周期性体動指数
呼吸障害指数、周期性体動指数は、閾値によって判定される。例えば、１５．０回／時間以上であれば、異常がある（問題がある）と評価される。
【０１０１】
（７）活動量、呼吸数、心拍数
活動量、呼吸数、心拍数は、値の大きさによって判定される。例えば、活動量は、低いほど好ましいが、４０ｃｏｕｎｔ／時間以上になれば異常があると評価される。
【０１０２】
［３．３  離床原因推定処理］
つづいて、離床原因推定処理について説明する。なお、離床原因推定処理は、患者の睡眠習慣と睡眠状態に応じた指標に基づいて、離床原因を推定する。このとき、離床回数が所定の閾値以下（例えば、後述する第２の閾値以下）の場合には、当該処理を実行しなくてもよい。
【０１０３】
［３．３．１  第１の離床原因推定処理］
第１の離床原因推定処理について、図８に基づいて説明する。第１の離床原因推定処理は、離床回数が多い場合に、障害指数を参照して離床原因を推定する。
【０１０４】
まず、制御部１００は、睡眠状態データ１３４を参照し、患者の離床回数が第１の閾値以上であるか否かを判定する（ステップＳ６１０２）。
【０１０５】
また、離床回数を取得する期間としては、患者の一晩（患者が入眠から覚醒までの１サイクル）の期間であってもよいし、就寝時の期間であってもよい。また、複数日の睡眠期間の平均であってもよい。
【０１０６】
ここで、第１の閾値は、例えば「４回」であり、例えば、患者の離床回数が４回以上である場合はむずむず足症候群として判定される（ステップＳ６１０２；Ｙｅｓ→ステップＳ６１０８）。ここでは判定コードがＭ００１と出力される。
【０１０７】
これにより、評価レポート出力処理において、評価レポート出力部１１４は、離床評価テーブル１４０を参照することにより、判定コードに対応する離床原因を推定する。また、推定された離床原因に対応するアドバイスを、離床評価テーブル１４０から読み出して出力する。
【０１０８】
図８に戻り、離床回数が第２の閾値以上であるか否かを判定する（ステップＳ６１０４）。ここで、第２の閾値は、例えば「１回」であり、離床回数が「１回未満」の場合は、他の判定が実行される（ステップＳ６１０４；Ｎｏ）。
【０１０９】
つづいて、離床回数が第２の閾値（例えば、「１回」）以上であり（ステップＳ６１０４；Ｙｅｓ）、周期性体動指数が高い場合（ステップＳ６１０６；Ｙｅｓ）、離床原因推定部１１２は、離床患者の離床原因として判定するコードは「Ｍ００１」、すなわちむずむず足症候群と判定（推定）する。ここで、周期性体動指数が高いとは、例えば周期性体動指数が周期性体動閾値（例えば、「１５．０」）以上の場合をいう。
【０１１０】
続いて、周期性体動指数が高くないが、呼吸障害指数が高い場合（ステップＳ６１０６；Ｎｏ→ステップＳ６１１０；Ｙｅｓ）、離床原因推定部１１２は、患者の離床原因として判定するコードは「Ｍ００３」、すなわち閉塞性睡眠時無呼吸症候群（ＯＳＡＳ）と判定（推定）する。ここで、呼吸障害指数が高いとは、例えば呼吸障害指数が呼吸障害指数閾値（例えば、「１５．０」）以上の場合をいう。
【０１１１】
このように、離床原因推定部１１２により離床原因が推定されると、評価レポート出力部１１４は、離床原因に対応するアドバイスを出力する。例えば、むずむず足症候群の可能性が高い場合には、通常の睡眠薬は効きにくいため、専用の薬を処方してもらうために専門医を受診することをアドバイスしたり、鉄分が不足していないか確認し不足しているようであれば鉄分を摂取すること、アルコールやカフェインの摂取の制限をすることをアドバイスしたりすることが可能となる。
【０１１２】
また、コード「Ｍ００３」の場合は、頻尿であるが、それの原因が閉塞性睡眠時無呼吸症候群であることが推定される。したがって、泌尿器科的治療だけではなく、閉塞性睡眠時無呼吸症候群の診断と治療のために専門医受診を検討することがアドバイスとして表示される。
【０１１３】
また、本実施形態において、離床回数、周期性体動指数、呼吸障害指数により離床原因が推定されている。このとき、例えば他の睡眠指標、バイタル指標は正常である場合に該当すると判定されてもよい。
【０１１４】
また、周期性体動指数が高い場合（ステップＳ６１０６；Ｙｅｓ）に、更に呼吸障害指数が高いか否かを判定してもよい。この場合、離床原因推定部１１２は、離床原因としては、むずむず足症候群の可能性と、閉塞性睡眠時無呼吸症候群の可能性とが推定される。すなわち、患者によっては、２つの原因に該当する場合がある。
【０１１５】
［３．３．２  第２の離床原因推定処理］
第２の離床原因推定処理について説明する。第２の離床原因推定処理としては、それぞれの離床原因に該当するかを、複数の睡眠指標等に基づいて推定する処理である。離床原因推定部１１２は、以下の条件に合致するか否かで離床原因を推定する。
【０１１６】
（１）睡眠効率が低く、活動量が高い、他の睡眠指標は正常
離床原因推定部１１２は、かゆみで眠れていなかったり、認知症により眠れていなかったりと、そのことが原因で覚醒し、離床していると推定する。
（２）レム睡眠中に離床している
レム睡眠行動障害により、離床していると推定する。
【０１１７】
（３）離床直前にバイタル（例えば、心拍数、呼吸数等）が上昇
離床原因推定部１１２は、尿意に基づく離床であると推定する。
【０１１８】
（４）睡眠効率が低く、呼吸障害指数が高い、他の睡眠指標は正常
離床原因推定部１１２は、閉塞性睡眠時無呼吸症候群で眠れていない、もしくは尿産生が促されているために、そのことが原因で離床していると推定する。
【０１１９】
（５）睡眠効率が低く、生活習慣に問題がある場合
例えば、就床時間が長かったり、昼間に睡眠している時間が長かったり、夕食後すぐに就床している等のときは、離床原因推定部１１２は、生活習慣に問題があると推定する。
【０１２０】
このように、複数の睡眠指標、バイタル値、障害指標等をそれぞれの基準値と比較した結果の組み合わせで、離床の原因を推定することが可能である。
【０１２１】
基準値と比較するのではなく、日々の離床回数を目的変数、複数の睡眠指標、バイタル値、障害指標等を説明変数として多変量解析をした結果、抽出された寄与率の高い説明変数を離床の原因として推定しても良い。例えば、図９に示すように、日付毎に目的変数に対応づけて説明変数を記憶してもよい。
【０１２２】
ここで、基準値と比較する方法の場合、離床との関連がなくとも基準値を超えていれば、その基準値を超えている指標が離床の原因として推定されてしまうが、多変量解析を用いる場合は、離床回数の変化と連動している指標が原因として抽出される長所がある。
【０１２３】
例えば、離床回数が日によって大きく異なる場合やある時点から急激に増えた場合などに効果を発揮する方法である。また、バイタル値や障害指標は日毎の変化が小さいが、睡眠効率などの睡眠指標と離床回数は本質的に関連が強く擬似相関となりやすいため、説明変数から睡眠指標を除いたほうが適切な離床原因の推定ができることも多い。
【０１２４】
［３．３．３  第３の離床原因推定処理］
第３の離床原因推定処理について説明する。本実施形態は、離床原因推定部１１２が、人工知能（機械学習）を用いて患者の姿勢を判定する場合について説明する。
【０１２５】
ここで、本実施形態における離床原因推定部１１２の動作について説明する。離床原因推定部１１２は、振動データや、患者の状態を入力値（入力データ）とし、人工知能や各種統計指標を利用することにより、患者の姿勢を推測する。
【０１２６】
図１０に示すように、離床原因推定部１１２は、特徴抽出部１１２０と、識別部１１２２と、識別辞書１１２４と、患者状態出力部１１２６とが含まれている。ここで、識別辞書１１２４は、記憶部１３０に記憶されてもよい。
【０１２７】
まず、離床原因推定部１１２に入力される入力データとしては、種々のパラメータが入力され、利用される。例えば、本実施形態においては、振動データとしての振動データと、振動データから算出される生体情報値と、生体情報値や患者の状態から求められるパラメータとが利用されている。これらの入力は、１又は複数の組み合わせであってもよい。
【０１２８】
そして、特徴抽出部１１２０により、各特徴点が抽出され、特徴ベクトルとして出力される。ここで、特徴抽出部１１２０が、特徴点として抽出するものは、例えば以下のものが考えられる。
【０１２９】
（１）離床回数と周期性体動指数との値や関係
（２）離床回数と呼吸障害指数との値や関係
（３）睡眠効率と呼吸障害指数との値や関係
（４）睡眠効率と生活習慣（例えば、就床時間等）との値や関係
（５）睡眠日誌の変化や、バイタル日誌の変化
（６）睡眠効率と活動量との値や関係
【０１３０】
特徴抽出部１１２０は、これらの特徴点を１又は複数組み合わせることにより、特徴ベクトルが出力される。なお、特徴点として説明したものは１例であり、当該値に限定されるものではない。また、このように、各値は、説明の都合上の値である。そして、該当する特徴点は「１」、非該当の特徴点は「０」が出力されでも良いし、確率変数が出力されても良い。
【０１３１】
そして、上述した特徴点を全て含まれる場合は、特徴空間は６次元であり、６次元の特徴ベクトルとして識別部１１２２に出力される。
【０１３２】
識別部１１２２は、入力された特徴ベクトルから、患者状態に対応するクラスを識別する。このとき、識別辞書１１２４として、事前に用意した複数のプロトタイプと照合することにより、クラスを識別する。プロトタイプは、各クラスに対応する特徴ベクトルとして記憶していても良いし、クラスを代表する特徴ベクトルを記憶していてもよい。
【０１３３】
クラスを代表する特徴ベクトルが記憶されている場合には、最も近いプロトタイプの属するクラスを決定する。このとき、識別部１１２２は、最近傍決定則により決定してもよいし、ｋ近傍法により識別してもよい。
【０１３４】
なお、識別部１１２２が利用する識別辞書１１２４は、予めプロトタイプを記憶してもよいし、機械学習を利用して記憶することとしても良い。
【０１３５】
そして、識別部１１２２により識別されたクラスに対応して、離床原因出力部１２２６により患者状態の離床原因が出力される。出力される離床原因としては、「むずむず足症候群」「閉塞性睡眠時無呼吸症候群」「睡眠習慣の異常」「頻尿」「感染」「痛み」「予後悪化」「かゆみ」といった内容が識別されてもよいし、そのまま確率変数が出力されても良い。
【０１３６】
これにより、本実施形態によれば、センサから出力された振動データ（生体情報値）を取得し、これらの情報から、患者が離床した場合における原因（離床原因）を推測することが可能となる。
【０１３７】
［３．３．４  第４の離床原因推定処理］
第４の離床原因推定処理について説明する。第４の離床原因推定処理は、ディープニューラルネットワークを利用したディープラーニングを利用して離床の原因を推測する場合の実施形態である。
【０１３８】
本実施形態では、離床原因推定部１１２に、患者の生体情報値や、睡眠指標、睡眠日誌を入力する。離床原因推定部１１２は、入力された生体情報値（生体情報のパラメータ）から離床原因を推測するが、この推測する処理としては、ディープラーニング（ディープニューラルネットワーク）を利用する。例えば、ディープラーニングにおける処理について、図１１を用いて簡単に説明する。
【０１３９】
まず、離床原因推定部１１２は、生体情報値、睡眠指標等のパラメータを、複数の層と、各層に含まれるニューロンによって構成されるニューラルネットワークに入力する。各ニューロンは別の複数のニューロンから信号を受け取り、演算を施した信号を別の複数のニューロンへ出力する。ニューラルネットワークが多層構造の場合、信号が流れる順に、入力層、中間層（隠れ層）、出力層と呼ばれる。
【０１４０】
ニューラルネットワークの中間層が複数の層からなっているものはディープニューラルネットワーク（例えば、畳み込み演算を持つConvolutional Neural Network（畳み込みニューラルネットワーク））と呼ばれ、これを用いた機械学習の手法をディープラーニングと呼ぶ。
【０１４１】
波形データはニューラルネットワークの各層のニューロンに各種演算（畳み込み演算、プーリング演算、正規化演算、行列演算等）が施され、形を変えながら流れ、出力層から複数の信号が出力される。
【０１４２】
ニューラルネットワークからの複数の出力値は、それぞれ、患者の離床原因に紐づいていて、値が最も大きい出力値に紐づく離床原因と推測する、というような処理を行う。又は、患者の離床原因を直接出力しなくとも、一又は複数の出力値を分類器に通して、分類器の出力から離床原因を推測してもよい。
【０１４３】
ニューラルネットワークの各種演算に用いる係数であるパラメータは、事前にニューラルネットワークへ数多くの生体情報値、睡眠指標における対応する離床原因を入力し、出力値と正解値との誤差を、誤差逆伝播法により、ニューラルネットワークを逆方向に伝搬し、各層のニューロンのパラメータを何度も更新することによって決まる。このように、パラメータを更新し、決める工程を学習と呼ぶ。
【０１４４】
ニューラルネットワークの構造や、個々の演算については、書籍や論文で解説された公知技術であり、その何れかの技術を利用すれば良い。
【０１４５】
このように、離床原因推定部１１２を利用することにより、センサから出力された振動データから算出された生体情報値や生体情報のパラメータを参照することにより、離床原因が出力される。
【０１４６】
また、生体情報値や、睡眠指標等のパラメータだけでなく、例えば日誌データであってもよい。例えば、睡眠日誌や、体動日誌、呼吸障害日誌としった、算出可能な日誌データが入力し、学習させることが可能である。
【０１４７】
［４．評価レポートの出力］
ここで、評価レポート出力部１１４が、出力部１７０より出力する評価レポートの一例を説明する。
【０１４８】
［４．１  第１の評価レポート］
図１２は第１の評価レポートＷ１００の一例である。評価レポートＷ１００には、各睡眠指標と、実際の測定値（算出値）、当該測定値（算出値）に基づいて、指標評価部１０８が評価した評価値、評価値に基づくアドバイスが、領域Ｒ１００に出力されている。また、領域Ｒ１０５には、睡眠指標に基づく総合判定（総合評価）が出力されている。
【０１４９】
総合判定（総合評価）は、指標評価部１０８又は評価レポート出力部１１４が、判定する。総合判定をする方法としては種々の方法が考えられるが、例えば睡眠指標の平均や、重みを利用して総合判定を行える指数を算出して利用してもよいし、睡眠指標の評価の中で最も悪いものを利用してもよい。
【０１５０】
また、評価レポートＷ１００には、睡眠日誌が領域Ｒ１１０に出力されている。このように、第１の評価レポートＷ１００を利用することで、睡眠指標、評価、アドバイス、睡眠日誌を容易に確認することができる。
【０１５１】
［４．２  第２の評価レポート］
図１３は第２の評価レポートＷ２００の一例である。評価レポートＷ２００には、第１の評価レポートＷ１００と同様に、睡眠指標に関するものが領域Ｒ２００に出力されている。
【０１５２】
ここで、第２の評価レポートは、領域Ｒ２１０に離床原因と、アドバイスとが表示される。これにより、利用者は患者の離床原因を容易に確認することができる。したがって、例えば離床原因を解消することにより離床回数を削減するといったことが可能となる。
【０１５３】
また、離床原因に関連する睡眠指標を識別表示してもよい。例えば、図１３では、「離床回数」と「周期性体動指数」とのパラメータ（睡眠指標）が識別表示（例えば他の指標とは異なる表示）されていることから、問題となっていることが評価レポートから容易に把握することが可能となる。
【０１５４】
そこで、「離床回数」には識別表示Ｒ２２０が、「周期性体動指数」には識別表示Ｒ２２２が付されている。
【０１５５】
このように、第２の評価レポートＷ２００によれば、離床原因を利用者は評価レポートで把握することができる。また、併せて問題のある睡眠指標を識別表示することにより、離床の問題点を容易に確認することができる。
【０１５６】
［４．３  第３の評価レポート］
図１４は、第３の評価レポートの一例である。第３の評価レポートでは、睡眠、呼吸、心拍、活動量、呼吸障害、周期性体動の変動が出力されている。また、睡眠指標と、アドバイスとが併せて出力されている。
【０１５７】
このように、第３の評価レポートによれば、生体情報値の変動や、睡眠指標の変動等を容易に確認することが可能となる。これらの生体情報値の変動や、睡眠指標の変動は、数日単位で表示可能となっている。また、１日２４時間を１つのグラフとし、それが複数配列されることにより、数日単位で生体情報値や睡眠指標の変動、異常の確認を行うことが可能となる。
【０１５８】
［５．効果］
このように、本実施形態によれば、患者の生体情報値、睡眠指標といった種々の情報を参照して、患者の離床原因について推定することができる。
【０１５９】
とくに、睡眠の評価には、睡眠の量、睡眠の質、睡眠習慣（睡眠の規則性）、睡眠障害、睡眠中のバイタル値が必要である。上述したように、睡眠の量は睡眠時間で評価され、睡眠の質は睡眠指標（中途覚醒時間、離床回数、睡眠効率等）で評価できる。また、睡眠習慣の評価は、就床時刻、起床時刻、就床時刻・起床時刻の変動等で評価できる。
【０１６０】
これらの睡眠の評価に必要な項目を考慮した上で、睡眠評価レポートが出力されるといった点に、従来と比較し、大きな特徴がある。
【０１６１】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１６２】
また、本実施形態においては、検出装置３で出力された結果に基づき、睡眠評価装置５において睡眠評価レポートを出力しているが、検出装置３で全て算出してもよい。また、端末装置（例えばスマートフォン、タブレット、コンピュータ）にアプリケーションをインストールして実現するだけでなく、例えばサーバ側で処理をして、処理結果を端末装置に返しても良い。
【０１６３】
例えば、検出装置３から、生体情報をサーバにアップロードすることで、サーバ側で上述した処理を実現してもよい。この検出装置３は、例えば加速度センサ、振動センサを内蔵したスマートフォンのような装置で実現してもよい。
【０１６４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１６５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１６６】
１  システム
３  検出装置
５  睡眠評価装置
１００  制御部
１０２  生体情報値取得部
１０４  睡眠状態判定部
１０６  指標出力部
１０８  指標評価部
１１０  日誌作成部
１１２  離床原因推定部
１１４  評価レポート出力部
１３０  記憶部
１３２  生体情報値データ
１３４  睡眠状態データ
１３６  パラメータテーブル
１３８  睡眠評価テーブル
１４０  離床評価テーブル
１５０  通信部
１６０  入力部
１７０  出力部
【図１】
2019187970.tif 000003
【図２】
2019187970.tif 000004
【図３】
2019187970.tif 000005
【図４】
2019187970.tif 000006
【図５】
2019187970.tif 000007
【図６】
2019187970.tif 000008
【図７】
2019187970.tif 000009
【図８】
2019187970.tif 000010
【図９】
2019187970.tif 000011
【図１０】
2019187970.tif 000012
【図１１】
2019187970.tif 000013
【図１２】
2019187970.tif 000014
【図１３】
2019187970.tif 000015
【図１４】
2019187970.tif 000016